(57)【要約】【課題】粒子の中で、クオークや中央の物である粒子のラブはどのように回転しているか、を再考する私は今まで、クオークは高エネルギー加速器で発見され、高エネルギー加速器の中のエネルギーであると思ってきた。これは間違いである事を特願2016-127116に於いて理解した。【解決手段】クオークの軌道はクオークの質量エネルギーにより、一定です。そのクオークの質量エネルギーと軌道の表を作る。素粒子の質量エネルギー＝クオークの質量エネルギー＋クオークの質量エネルギー＋クオークの質量エネルギー＋粒子のラブのエネルギー。この粒子の回転軌道はどのようであるか。クオークの回転軌道はクオークの質量エネルギーにより一定です。また、粒子のラブのエネルギーから粒子のラブの公転軌道と自転軌道が計算できます。これにより、粒子の中の回転が理解できる。【選択図】図１
2018007409.tif 000002
【特許請求の範囲】
【請求項１】
各種のクオークの質量エネルギー、電磁気数、電磁気1個のエネルギー、軌道、を求める。
・1.7MeVのuクオーク
クオークの質量エネルギー＝1.7MeV＝2.723×10−13J
電磁気数＝6.249×108個
電磁気1個のエネルギー＝2.723×10−13J÷(6.249×108個)＝4.357×10−22J
電磁気1個の軌道＝1.233×10−41Jm÷電磁気1個のエネルギー＝1.233×10−41Jm÷(4.357×10−22J)＝2.830×10−20m
1.7MeVのuクオークの軌道＝7.705×10−33Jm÷クオークの質量エネルギー＝7.705×10−33Jm÷(2.723×10−13J)＝2.830×10−20m
・3.1MeVのuクオーク
クオークの質量エネルギー＝3.1MeV＝4.966×10−13J
電磁気数＝6.249×108個
電磁気1個のエネルギー＝4.966×10−13J÷(6.249×108個)＝7.947×10−22J
電磁気1個の軌道＝1.233×10−41Jm÷電磁気1個のエネルギー＝1.233×10−41Jm÷(7.947×10−22J)＝1.552×10−20m
3.1MeVのuクオークの軌道＝7.705×10−33Jm÷クオークの質量エネルギー＝7.705×10−33Jm÷(4.966×10−13J)＝1.552×10−20m
4.1MeVのdクオーク
クオークの質量エネルギー＝4.1×1.602×10−19J×106＝6.568×10−13J
電磁気数＝6.249×108個
電磁気1個のエネルギー＝6.568×10−13J÷(6.249×108個)＝1.051×10−22J
電磁気1個の軌道＝1.233×10−41Jm÷電磁気1個のエネルギー＝1.233×10−41Jm÷(1.051×10−22J)＝1.173×10−20m
4.1MeVのdクオークの軌道＝7.705×10−33Jm÷クオークの質量エネルギー＝7.705×10−33Jm÷(6.568×10−13J)＝1.173×10−20m
・5.7MeVのdクオーク
クオークの質量エネルギー＝5.7×1.602×10−19J×106＝9.131×10−13J
電磁気数＝6.249×108個
電磁気1個のエネルギー＝9.131×10−13J÷(6.249×108個)＝1.461×10−21J
電磁気1個の軌道＝1.233×10−41Jm÷電磁気1個のエネルギー＝1.233×10−41Jm÷(1.461×10−21J)＝8.439×10−21m
5.7MeVのdクオークの軌道＝7.705×10−33Jm÷クオークの質量エネルギー＝7.705×10−33Jm÷(9.131×10−13J)＝8.438×10−21m
・80MeVのsクオーク
クオークの質量エネルギー＝80×1.602×10−19J×106＝1.282×10−11J
電磁気数＝6.249×108個
電磁気1個のエネルギー＝1.282×10−11J÷(6.249×108個)＝2.052×10−20J
電磁気1個の軌道＝1.233×10−41Jm÷電磁気1個のエネルギー＝1.233×10−41Jm÷(2.052×10−20J)＝6.009×10−22m
80MeVのsクオークの軌道＝7.705×10−33Jm÷クオークの質量エネルギー＝7.705×10−33Jm÷(1.282×10−11J)＝6.010×10−22m
・130MeVのsクオーク
クオークの質量エネルギー＝130×1.602×10−19J×106＝2.083×10−11J
電磁気数＝6.249×108個
電磁気1個のエネルギー＝2.083×10−11J÷(6.249×108個)＝3.333×10−20J
電磁気1個の軌道＝1.233×10−41Jm÷電磁気1個のエネルギー＝1.233×10−41Jm÷(3.333×10−20J)＝3.699×10−22m
130MeVのsクオークの軌道＝7.705×10−33Jm÷クオークの質量エネルギー＝7.705×10−33Jm÷(2.083×10−11J)＝3.699×10−22m
・1.18GeVのcクオーク
クオークの質量エネルギー＝1.18×1.602×10−19J×109＝1.890×10−10J
電磁気数＝6.249×108個
電磁気1個のエネルギー＝1.890×10−10J÷(6.249×108個)＝3.024×10−19J
電磁気1個の軌道＝1.233×10−41Jm÷電磁気1個のエネルギー＝1.233×10−41Jm÷(3.024×10−19J)＝4.077×10−23m
1.18GeVのcクオークの軌道＝7.705×10−33Jm÷クオークの質量エネルギー＝7.705×10−33Jm÷(1.890×10−10J)＝4.077×10−23m
・1.34GeVのcクオーク
クオークの質量エネルギー＝1.34×1.602×10−19J×109＝2.147×10−10J
電磁気数＝6.249×108個
電磁気1個のエネルギー＝2.147×10−10J÷(6.249×108個)＝3.436×10−19J
電磁気1個の軌道＝1.233×10−41Jm÷電磁気1個のエネルギー＝1.233×10−41Jm÷(3.436×10−19J)＝3.588 ×10−23m
1.34GeVのcクオークの軌道＝7.705×10−33Jm÷クオークの質量エネルギー＝7.705×10−33Jm÷(2.147×10−10J)＝3.589×10−23m
・4.13GeVのbクオーク
クオークの質量エネルギー＝4.13×1.602×10−19J×109＝6.616×10−10J
電磁気数＝6.249×108個
電磁気1個のエネルギー＝6.616×10−10J÷(6.249×108個)＝1.059×10−18J
電磁気1個の軌道＝1.233×10−41Jm÷電磁気1個のエネルギー＝1.233×10−41Jm÷(1.059×10−18J)＝1.164×10−23m
4.13GeVのbクオークの軌道＝7.705×10−33Jm÷クオークの質量エネルギー＝7.705×10−33Jm÷(6.616×10−10J)＝1.165×10−23m
・4.37GeVのbクオーク
クオークの質量エネルギー＝4.37×1.602×10−19J×109＝7.001×10−10J
電磁気数＝6.249×108個
電磁気1個のエネルギー＝7.001×10−10J÷(6.249×108個)＝1.120×10−18J
電磁気1個の軌道＝1.233×10−41Jm÷電磁気1個のエネルギー＝1.233×10−41Jm÷(1.120×10−18J)＝1.101×10−23m
4.37GeVのbクオークの軌道＝7.705×10−33Jm÷クオークの質量エネルギー＝7.705×10−33Jm÷(7.001×10−10J)＝1.101×10−23m
・172.9GeVのtクオーク
クオークの質量エネルギー＝172.9×1.602×10−19J×109＝2.770×10−8J
電磁気数＝6.249×108個
電磁気1個のエネルギー＝2.770×10−8J÷(6.249×108個)＝4.433×10−17J
電磁気1個の軌道＝1.233×10−41Jm÷電磁気1個のエネルギー＝1.233×10−41Jm÷(4.433×10−17J)＝2.781×10−25m
172.9GeVのtクオークの軌道＝7.705×10−33Jm÷クオークの質量エネルギー＝7.705×10−33Jm÷(2.770×10−8J)＝2.782 ×10−25m
これらの事をまとめて表に示す。
クオークの質量エネルギー、電磁気数、電磁気1個のエネルギー、クオークの軌道
表１５
2018007409.tif 000017
この表を基に粒子の中のクオークの回転を考える。
【請求項２】
中間子について。2016年5月24日に提出した、特願2016-103199「中間子２」に於いて、中間子は、中間子の中心の物とクオークと反クオークによって構成される。どのように回転しているか、を考えた。しかし、クオークの軌道を間違っていたのでこれを訂正する。
○D+中間子は、D+ 中間子の中心の物とcクオークと反dクオークによって構成される。どのように回転しているか。(これは特願2016-103199「中間子２」の「請求項９」に記した)
・D+中間子の中心の物の質量エネルギーが 685.5MeV＝1.098×10-10Jで、公転軌道は7.892×10−14m の場合。
cクオークの質量エネルギーは1.18×103MeVです。この軌道は4.077×10−23mです。
dクオークの質量エネルギーは4.1MeVです。この軌道は1.173×10−20mです。
D+中間子の中心の物＝D+中間子のラブは、5.710×10-18mの軌道を自転し、7.892×10-14mの軌道を公転する。
その中を4.1MeVのdクオークは1.173×10−20mの軌道を回転する。
中央を1.18×103MeVのcクオークは4.077×10−23mの軌道を回転する。
・D+中間子の中心の物の質量エネルギーが523.9MeV ＝8.393×10-11Jで、公転軌道が1.032×10−13mの場合。
cクオークの質量エネルギーは1.34×103MeVです。このクオークの軌道は3.589 ×10−23mです。
dクオークの質量エネルギーは5.7MeVです。このクオークの軌道は8.438×10−21mです。
D+中間子の中心の物＝D+中間子のラブは、7.467×10-18mの軌道を自転し、1.032×10-13mの軌道を公転する。
その中を5.7MeV のdクオークは8.438×10−21mの軌道を回転する。
中央を1.34×103MeVのcクオークは3.589 ×10−23mの軌道を回転する。
この事を表に示す。
D+中間子の中の回転
表１６
2018007409.tif 000018
○B+中間子は、B+中間子の中心の物とuクオークと反bクオークによって構成される。どのように回転しているか。(これは特願2016-103199「中間子２」の「請求項１１」に記した)
・B+中間子の中心の物の質量エネルギーが1147.5MeV＝1.838×10-10Jの場合。
uクオークの質量エネルギーは1.7MeVです。このクオークの軌道は2.830×10−20mです。
bクオークの質量エネルギーは4.13×103MeVです。このクオークの軌道は1.165×10−23mです。
B+中間子の中心の物＝B+中間子のラブは3.411×10-18mの軌道を自転し、4.714×10-14mの軌道を公転する。
その中を1.7MeVのuクオークは2.830×10−20mの軌道を回転する。
中央を4.13×103MeVのbクオークは1.165×10−23mの軌道を回転する。
・B+中間子の中心の物の質量エネルギーが906.1MeVの場合。
uクオークの質量エネルギーは3.1 MeVです。このクオークの軌道は1.552×10−20mです。
bクオークの質量エネルギーは4.37×103MeVです。このクオークの軌道は1.101×10−23mです。
B+中間子の中心の物＝B+中間子のラブは4.318×10-18mの軌道を自転し、5.968×10-14mの軌道を公転する。
その中を3.1 MeVのuクオークは1.552×10−20mの軌道を回転する。
中央を4.37×103MeVのbクオークは1.101×10−23mの軌道を回転する。
この事を表に示す。
B+中間子の中の回転
表１７
2018007409.tif 000019
○π+中間子は、π+中間子の中心の物とuクオークと反bクオークによって構成される。どのように回転しているか。(これは特願2016-103199「中間子２」の「請求項１３」に記した)
・π+中間子の中心の物の質量エネルギーが133.77MeV＝2.143×10-11Jの場合。
uクオークの質量エネルギーは1.7 MeVです。このクオークの軌道は2.830×10−20mです。
dクオークの質量エネルギーは4.1 MeVです。このクオークの軌道は1.173×10−20mです。
π+中間子の中心の物＝π+中間子のラブは2.925×10-17mの軌道を自転し、4.043×10-13mの軌道を公転する。
その中を1.7 MeVのuクオークは2.830×10−20mの軌道を回転する。
中央を4.1 MeVのdクオークは1.173×10−20mの軌道を回転する。
・π+中間子の中心の物の質量エネルギーが130.77MeV＝2.095×10-11Jの場合。
uクオークの質量エネルギーは3.1 MeVです。このクオークの軌道は1.552×10−20mです。
dクオークの質量エネルギーは5.7 MeVです。このクオークの軌道は8.438×10−21mです。
π+中間子の中心の物＝π+中間子のラブは2.992×10-17mの軌道を自転し、4.136×10-13mの軌道を公転する。
その中を3.1 MeVのuクオークは1.552×10−20mの軌道を回転する。
中央を5.7 MeVのdクオークは8.438×10−21mの軌道を回転する。
この事を表に示す。
π+中間子の中の回転
表１８
2018007409.tif 000020
○ρ(770)+中間子は、ρ(770)+中間子の中心の物とuクオークと反bクオークによって構成される。どのよう回転しているか。(これは特願2016-103199「中間子２」の「請求項１５」に記した)
・ρ(770)+中間子の中心の物の質量エネルギーが769.69MeV＝1.233×10-10Jの場合。
uクオークの質量エネルギーは1.7 MeVです。このクオークの軌道は2.830×10−20mです。
dクオークの質量エネルギーは4.1 MeVです。このクオークの軌道は1.173×10−20mです。
ρ(770)+中間子の中心の物＝ρ(770)+中間子のラブは5.085×10-18mの軌道を自転し、7.028×10-14mの軌道を公転する。
その中を、1.7 MeVのuクオークは2.830×10−20mの軌道を回転する。
中央を4.1 MeVのdクオークは1.173×10−20mの軌道を回転する。
・ρ(770)+中間子の中心の物の質量エネルギーが766.697MeV＝1.228×10-10Jの場合。
uクオークの質量エネルギーは3.1 MeVです。このクオークの軌道は1.552×10−20mです。
dクオークの質量エネルギーは5.7 MeVです。このクオークの軌道は8.438×10−21mです。
ρ(770)+中間子の中心の物＝ρ(770)+中間子のラブは5.105×10-18mの軌道を自転し、7.056×10-14mの軌道を公転する。
その中を3.1 MeVのuクオークは1.552×10−20mの軌道を回転する。
中央を5.7 MeVのdクオークは8.438×10−21mの軌道を回転する。
この事を表に示す。
K+中間子の中の回転
表１９
2018007409.tif 000021
○K+中間子は、K+中間子の中心の物とuクオークと反sクオークによって構成される。どのように回転しているか。(これは特願2016-103199「中間子２」の「請求項１７」に記した)
・K+中間子の中心の物の質量エネルギーが411.977MeV＝6.600×10-11Jの場合。
uクオークの質量エネルギーは1.7 MeVです。このクオークの軌道は2.830×10−20mです。
sクオークの質量エネルギーは80MeVです。このクオークの軌道は6.010×10−22mです。
K+中間子の中心の物＝K+中間子のラブは9.500×10-18mの軌道を自転し、1.313×10-13mの軌道を公転する。
その中を、1.7 MeVのuクオークは2.830×10−20mの軌道を回転する。
中央を80MeVのsクオークは6.010×10−22mの軌道を回転する。
・K+中間子の中心の物の質量エネルギーが360.577MeV＝5.776×10-11Jの場合。
uクオークの質量エネルギーは3.1 MeVです。このクオークの軌道は1.552×10−20mです。
sクオークの質量エネルギーは130MeVです。このクオークの軌道は3.699×10−22mです。
K+中間子の中心の物＝K+中間子のラブは1.085×10-17mの軌道を自転し、1.500×10-13mの軌道を公転する。
その中を3.1 MeVのuクオークは1.552×10−20mの軌道を回転する。
中央を130MeVのsクオークは3.699×10−22mの軌道を回転する。
この事を表に示す。
K+中間子の中の回転
表２０
2018007409.tif 000022
【請求項３】
陽子について。2016年6月9日に提出した、特願2016-114926「陽子、Δ+(１２３２)、Σ+、A+c  」に於いて、陽子は、陽子の中心の物とuクオークとuクオークとdクオークによって構成される。どのように回転しているか、を考えた。しかし、クオークの軌道を間違っていたのでこれを訂正する。
○陽子は中心の物とuクオークとuクオークとdクオークによって構成される。どのように回転しているか。(これは、特願2016-114926「陽子、Δ+(１２３２)、Σ+、A+c」の「請求項２」に記した)
・陽子の質量エネルギーは、938.272MeV＝1.503×10-10J、です。
クオークは、1.7MeVのuクオークと3.1MeVのuクオークと5.7MeVのdクオークとする。
陽子の質量エネルギー＝1.7MeVのuクオーク＋3.1MeVのuクオーク＋5.7MeVのdクオーク＋陽子の中心の物の質量エネルギー
陽子の中心の物の質量ネルギー＝陽子の質量エネルギー-(1.7MeV＋3.1MeV＋5.7MeV)＝938.272MeV-10.5MeV＝927.772MeV=1.486×10-10J
陽子の中心の物＝陽子のラブ
陽子のラブの質量エネルギーは927.772MeV=1.486×10-10Jです。
陽子のラブの公転軌道は5.831×10-14mです。
陽子のラブの自転軌道は4.219×10-18mです。
1.7MeVのuクオークの軌道は2.830×10−20mです。
3.1 MeVのuクオークの軌道は1.552×10−20mです。
5.7MeVのdクオークの軌道は8.438×10−21mです。
この事を表に示す。
陽子の中の回転
表２１
2018007409.tif 000023
○  Δ+(1232)は中心の物とuクオークとuクオークとdクオークによって構成される。どのように回転しているか。(これは、特願2016-114926「陽子、Δ+(１２３２)、Σ+、A+c」の「請求項６」に記した)
Δ+(1232)の質量エネルギーは1232MeV=1.974×10-10Jです。
クオークは、1.7MeVのuクオークと3.1MeVのuクオークと、5.7MeV のdクオークとする。
Δ+(1232)の質量エネルギー＝1.7MeVのuクオーク＋3.1MeVのuクオーク＋5.7MeV のdクオーク＋中心の物の質量エネルギー
Δ+(1232)の中心の物の質量エネルギー＝Δ+(1232)の質量エネルギー-(1.7MeV＋3.1MeV＋5.7MeV)＝1232MeV-10.5MeV=1221.5MeV＝1.957×10-10J
Δ+(1232)の中心の物＝Δ+(1232)のラブ
Δ+(1232)のラブの質量エネルギー＝1221.5MeV＝1.957×10-10J
Δ+(1232)のラブの公転軌道は4.428×10-14mです。
Δ+(1232)のラブの自転軌道は3.204×10-18mです。
1.7MeVのuクオークの軌道は2.830×10−20mです。
3.1 MeVのuクオークの軌道は1.552×10−20mです。
5.7MeVのdクオークの軌道は8.438×10−21mです。
この事を表に示す。
Δ+(1232)の中の回転
表２２
2018007409.tif 000024
○Σ＋は中心の物とuクオークとuクオークとsクオークによって構成される。どのように回転しているか。(これは、特願2016-114926「陽子、Δ+(１２３２)、Σ+、A+c」の「請求項９」に記した)
Σ＋の質量エネルギーは1189.37MeV＝1.905×10-10Jです。
クオークは、1.7MeVのuクオークと3.1MeVのuクオークと130MeVのsクオークとする。
Σ＋の質量エネルギー＝1.7MeVのuクオーク＋3.1MeVのuクオーク＋130MeVのsクオーク＋中心の物の質量エネルギー
中心の物の質量エネルギー＝Σ＋の質量エネルギー-(1.7MeV＋3.1MeV＋130MeV)＝＝1189.37MeV-134.8MeV=1054.5MeV＝1.689×10-10J
Σ＋の中心の物＝Σ＋のラブ
Σ＋のラブの質量エネルギーは1054.5MeV＝1.689×10-10Jです。
Σ＋のラブの公転軌道は5.130×10-14mです。
Σ＋のラブの自転軌道は3.712×10-18mです。
1.7MeVのuクオークの軌道は2.830×10−20mです。
3.1 MeVのuクオークの軌道は1.552×10−20mです。
130MeVのsクオークの軌道は3.699×10−22mです。
この事を表に示す。
Σ＋の中の回転
表２３
2018007409.tif 000025
○Λ＋cは中心の物とuクオークとdクオークとcクオークによって構成される。どのように回転しているか。(これは、特願2016-114926「陽子、Δ+(１２３２)、Σ+、A+c」の「請求項１２」に記した)
Λ＋cの質量エネルギーは2286.46MeV=3.662×10-10Jです。
クオークは3.1MeVのuクオークと5.7MeVのdクオークと1340MeVのcクオークとする。
Λ＋cの質量エネルギー＝3.1MeVのuクオーク＋5.7MeVのdクオーク＋1340MeVのcクオーク＋中心の物の質量エネルギー
中心の物の質量エネルギー＝Λ＋cの質量エネルギー-(3.1MeV＋5.7MeV＋1340MeV)＝2286.46MeV-1348.8MeV＝937.66MeV＝1.502×10-10J
Λ＋cの中心の物＝Λ＋cのラブ
Λ＋cのラブの質量ネルギーは937.66MeV＝1.502×10-10Jです。
Λ＋cのラブの公転軌道は5.769×10-14mです。
Λ＋cのラブの自転軌道は4.174×10-18mです。
3.1 MeVのuクオークの軌道は1.552×10−20mです。
5.7MeVのdクオークの軌道は8.438×10−21mです。
1340MeVのcクオークの軌道は3.589 ×10−23mです。
この事を表に示す。
Λ＋cの中の回転
表２４
2018007409.tif 000026
【請求項４】
中性子について。2016年6月22日に提出した、特願2016-123108「中性子、Δ0,Σ0、Ξ0」に於いて、中性子は、中性子の中心の物とuクオークとdクオークとdクオークによって構成される。どのように回転しているか、を考えた。しかし、クオークの軌道を間違っていたのでこれを訂正する。
○中性子は中心の物とuクオークとdクオークとdクオークによって構成される。どのように回転しているか。(これは、特願2016-123108「中性子、Δ0,Σ0、Ξ0」の「請求項２」に記した)
中性子の質量エネルギーは939.5635MeV＝1.505×10-10Jです。
クオークは、3.1MeVのuクオークと4.1 MeVのdクオークと、5.7MeVのdクオークとする。
中性子の質量エネルギー＝3.1MeVのuクオーク＋4.1MeVのdクオーク＋5.7MeVのdクオーク＋中心の物の質量エネルギー
中心の物の質量エネルギー＝中性子の質量エネルギー-(3.1MeV＋4.1MeV +5.7MeV)＝939.5635MeV-12.9MeV＝926.6635MeV=1.485×10-10J
中性子の中心の物＝中性子のラブ
中性子のラブの質量エネルギーは926.6635MeV=1.485×10-10Jです。
中性子のラブの公転軌道は5.835×10-14mです。
中性子のラブの自転軌道は4.222×10-18mです。
3.1MeVのuクオークの軌道は1.552×10−20mです。
4.1 MeVのdクオークの軌道は1.173×10−20mです。
5.7MeVのdクオークの軌道は8.438×10−21mです。
表に示す。
中性子の中の軌道
表２５
2018007409.tif 000027
○Δ0(1232)は中心の物とuクオークとdクオークとdクオークによって構成される。どのように回転しているか。(これは、特願2016-123108「中性子、Δ0,Σ0、Ξ0」の「請求項６」に記した)
Δ0(1232)の質量エネルギーは1232MeV=1.953×10-10Jです。
クオークは、3.1MeVのuクオークで、4.1MeVのdクオークと5.7MeVのdクオークとする。
Δ0(1232)の質量エネルギー＝3.1MeVのuクオーク＋4.1MeVのdクオーク＋5.7MeVのdクオーク＋中心の物の質量エネルギー
中心の物の質量エネルギー＝Δ0(1232)の質量エネルギー-(3.1MeV＋4.1MeV +5.7MeV)＝1232MeV-12.9MeV＝1219.1MeV＝1.953×10-10J
Δ0(1232)の中心の物＝Δ0(1232)のラブ
Δ0(1232)のラブの質量エネルギーは1219.1MeV＝1.953×10-10Jです。
Δ0(1232)のラブの公転軌道は4.437×10-14mです。
Δ0(1232)のラブの自転軌道は3.210×10-18mです。
3.1MeVのuクオークの軌道は1.552×10−20mです。
4.1 MeVのdクオークの軌道は1.173×10−20mです。
5.7MeVのdクオークの軌道は8.438×10−21mです。
表に示す
Δ0(1232)の中の回転
表２６
2018007409.tif 000028
○Σ0は中心の物とuクオークとdクオークとsクオークによって構成される。どのように回転しているか。(これは、特願2016-123108「中性子、Δ0,Σ0、Ξ0」の「請求項９」に記した)
Σ0の質量エネルギーは1192.64MeV=1.911×10-10Jです。
クオークは、3.1MeVのuクオークと5.7MeVのdクオークと130MeVのsクオークとする。
Σ0の質量エネルギー＝3.1Me＋5.7MeV＋130MeV＋中心の物の質量エネルギー
中心の物の質量エネルギー＝Σ0の質量エネルギー-(3.1Me＋5.7MeV＋130MeV)＝1192.64MeV-138.8MeV＝1053.84MeV=1.688×10-10J
Σ0の中心の物＝Σ0のラブ
Σ0のラブの質量エネルギーは1053.84MeV=1.688×10-10Jです。
Σ0のラブの公転軌道は5.133×10-14mです。
Σ0のラブの自転軌道は3.714×10-18mです。
3.1MeVのuクオークの軌道は1.552×10−20mです。
5.7MeVのdクオークの軌道は8.438×10−21mです。
130MeVのsクオークの軌道は3.699×10−22mです。
表に示す。
Σ0の中の回転
表２７
2018007409.tif 000029
○Ξ0は中心の物とuクオークとsクオークとsクオークによって構成される。どのように回転しているか。(これは、特願2016-123108「中性子、Δ0,Σ0、Ξ0」の「請求項１２」に記した)
Ξ0の質量エネルギーは1314.9MeV=2.106×10-10Jです。
クオークは、3.1MeVのuクオークと80MeVのsクオークと130MeVのsクオークとする。
Ξ0の質量エネルギー＝3.1MeV＋80MeV＋130MeV＋中心の物の質量エネルギー
中心の物の質量エネルギー＝Ξ0の質量エネルギー-(3.1MeV＋80MeV＋130MeV )＝1314.9MeV-213.1MeV＝1101.8MeV＝1.765×10-10J
Ξ0の中心の物＝Ξ0のラブ
Ξ0のラブの質量エネルギーは1101.8MeV＝1.765×10-10Jです。
Ξ0のラブの公転軌道は4.909×10-14mです。
Ξ0のラブの自転軌道は3.552×10-18mです。
3.1MeVのuクオークの軌道は1.552×10−20mです。
８０MeVのsクオークの軌道は6.010×10−22mです。
130MeVのsクオークの軌道は3.699×10−22mです。
表に示す
Ξ0の中の回転
表２８
2018007409.tif 000030
【請求項５】
どうしてクオークは1個ずつ取り出せないか。
クオークの軌道はとても小さく並んで回転しているので、1個ずつ取り出すことはできない。
それに回転方向も関与している。
【発明の詳細な説明】
【技術分野】
【０００１】
本発明は、粒子の中のクオークの軌道に関するものである。
【背景技術】
【０００２】
2016年2月29日に提出した、特願2016−036526「クオーク」に於いて次のように考えた。
クオークは高エネルギー加速器で測量されるエネルギーであり、陽子や電子は地表で測量されるエネルギーである。
それで、クオークの地表のエネルギーは、3×108分の１である。
それで、クオークのエネルギーは高エネルギー加速器のエネルギーであるとし、陽子のエネルギーは地表のエネルギーとし、高エネルギー加速器のエネルギーと地表に分けて、
電磁気1個のエネルギーと電磁気の軌道、1束の電磁気数について考えた。
2016年5月10日に提出した、特願2016−094933「クオーク２」に於いて次のように考えた。
陽子の中の電磁気の軌道エネルギーは、6.724×10−45Jmではない。陽子の中でも、その他の場に於いても、電磁気の軌道エネルギーは、1.233×10−41Jmです。この考えにより、高エネルギー加速器のエネルギーと地表に分けて考えた、クオークの軌道を修正した。
2016年6月28日に提出した、特願2016−127116「Δ−(１２３２)、Σ−、Ξ−、Ω−」に於いて次のように考えた。
Δ−(１２３２)の構成は、Δ−(１２３２)のラブと4.1MeVのdクオークと、4.9MeVのdクオークと、5.7MeVのdクオークであるとする。どのように回転しているか。
従来、特願2016−094933「クオーク２」の軌道は間違っている事に気づいた。それは、地表のクオークのエネルギーを(3×108)分の1にしていたので、軌道は(3×108)倍に成っている。しかも、Δ−(１２３２)の構成は、Δ−(１２３２)のラブと4.1MeVのdクオークと、4.9MeVのdクオークと、5.7MeVのdクオークであるとしている、事です。
それで、今回はクオークのエネルギーと軌道を地表だけについて考える。そして、間違って考えていた事を訂正する。
粒子の中で、クオークが回転する軌道を訂正する。
【先行技術文献】
【特許文献】
【０００３】
【特許文献１】特願2016−036526
【特許文献１】特願2016−094933
【特許文献１】特願2016−127116
【発明の概要】
【発明が解決しようとする課題】
【０００４】
1．各種のクオークの質量エネルギー、電磁気数、電磁気1個のエネルギー、軌道、を求める。
2．中間子類について。2016年5月24日に提出した、特願2016-103199「中間子２」に於いて、中間子は、中間子の中心の物とクオークと反クオークによって構成される。どのように回転しているか、を考えた。しかし、クオークの軌道を間違っていたのでこれを訂正する。
3．陽子類について。2016年6月9日に提出した、特願2016-114926「陽子、Δ+(１２３２)、Σ+、A+c  」に於いて、陽子は、陽子の中心の物とuクオークとuクオークとdクオークによって構成される。どのように回転しているか、を考えた。しかし、クオークの軌道を間違っていたのでこれを訂正する。
4．中性子類について。2016年6月22日に提出した、特願2016-123108「中性子、Δ0,Σ0、Ξ0」に於いて、中性子は、中性子の中心の物とuクオークとdクオークとdクオークによって構成される。どのように回転しているか、を考えた。しかし、クオークの軌道を間違っていたのでこれを訂正する。
5．どうしてクオークは1個ずつばらばらに取り出せないか。
【課題を解決するための手段】
【０００５】
1．例えば1.7MeVの場合、次のように計算する。
クオークの質量エネルギー＝1.7×1.602×10−19J×106＝2.723×10−13J
電磁気数＝6.249×108個
電磁気1個のエネルギー＝2.723×10−13J÷(6.249×108個)＝4.357×10−22J
電磁気1個の軌道＝1.233×10−41Jm÷電磁気1個のエネルギー＝1.233×10−41Jm÷(4.357×10−22J)＝2.830×10−20m
1.7MeVのuクオークの軌道＝7.705×10−33Jm÷クオークの質量エネルギー＝7.705×10−33Jm÷(2.723×10−13J)＝2.830×10−20m
2．2016年5月24日に提出した、特願2016-103199「中間子２」の粒子の中のクオークの回転を、表1のクオークの軌道より理解する。
3．2016年6月9日に提出した、特願2016-114926「陽子、Δ+(１２３２)、Σ+、A+c  」の粒子の中のクオークの回転を、表1のクオークの軌道より理解する。
4．2016年6月22日に提出した、特願2016-123108「中性子、Δ0,Σ0、Ξ0」の粒子の中のクオークの回転を、表1のクオークの軌道より理解する。
5．クオークの軌道はとても小さく並んで回転しているので、1個ずつ取り出すことはできない。それに回転も関与すると思う。
【発明の効果】
【０００６】
1．クオークの質量エネルギー、電磁気数、電磁気1個のエネルギー、クオークの軌道の表を記す。
2．π+中間子の中の回転を表に示す。
3．陽子の中の回転を表に示す。
4．中性子の中の回転を表に示す。
5．表1によりクオークの軌道がとても小さい事が理解できる。
【図面の簡単な説明】
【０００７】
【図１】図１は、ρ(770)+中間子は、ρ(770)+中間子の中心の物とuクオークと反ｄクオークによって構成される。どのよう回転しているかを図示する。(これは、特願2016-103199の図2の訂正です)・ρ(770)+中間子の中心の物 (ρ(770)+のラブ)の質量エネルギーが769.69MeV＝1.233×10-10Jの場合。uクオークの質量エネルギーは1.7 MeVです。このクオークの軌道は2.830×10−20mです。dクオークの質量エネルギーは4.1 MeVです。このクオークの軌道は1.173×10−20mです。ρ(770)+中間子の中心の物＝ρ(770)+中間子のラブは5.085×10-18mの軌道を自転し、7.028×10-14mの軌道を公転する。その中を、1.7 MeVのuクオークは2.830×10−20mの軌道を回転する。中央を4.1 MeVのdクオークは1.173×10−20mの軌道を回転する。
【図２】図２は、中性子のラブとクオークの軌道、Δ0(1232)のラブとクオークの軌道、Σ0のラブとクオークの軌道、Ξ0のラブとクオークの軌道を図示する。(これは、特願2016-123108の図2の訂正です)○中性子は中心の物とuクオークとdクオークとdクオークによって構成される。どのように回転しているか。中性子の質量エネルギーは939.5635MeV＝1.505×10-10Jです。クオークは、3.1MeVのuクオークと4.1 MeVのdクオークと、5.7MeVのdクオークとする。中性子の質量エネルギー＝3.1MeVのuクオーク＋4.1MeVのdクオーク＋5.7MeVのdクオーク＋中心の物の質量エネルギー中心の物の質量エネルギー＝中性子の質量エネルギー-(3.1MeV＋4.1MeV +5.7MeV)＝939.5635MeV-12.9MeV＝926.6635MeV=1.485×10-10J中性子の中心の物＝中性子のラブ中性子のラブの質量エネルギーは926.6635MeV=1.485×10-10Jです。中性子のラブの公転軌道は5.835×10-14mです。中性子のラブの自転軌道は4.222×10-18mです。3.1MeVのuクオークの軌道は1.552×10−20mです。4.1 MeVのdクオークの軌道は1.173×10−20mです。5.7MeVのdクオークの軌道は8.438×10−21mです。○Δ0(1232)は中心の物とuクオークとdクオークとdクオークによって構成される。どのように回転しているか。(これは、特願2016-123108の図2の訂正です) Δ0(1232)の質量エネルギーは1232MeV=1.953×10-10Jです。クオークは、3.1MeVのuクオークで、4.1MeVのdクオークと5.7MeVのdクオークとする。Δ0(1232)の質量エネルギー＝3.1MeVのuクオーク＋4.1MeVのdクオーク＋5.7MeVのdクオーク＋中心の物の質量エネルギー中心の物の質量エネルギー＝Δ0(1232)の質量エネルギー-(3.1MeV＋4.1MeV +5.7MeV)＝1232MeV-12.9MeV＝1219.1MeV＝1.953×10-10JΔ0(1232)の中心の物＝Δ0(1232)のラブΔ0(1232)のラブの質量エネルギーは1219.1MeV＝1.953×10-10Jです。Δ0(1232)のラブの公転軌道は4.437×10-14mです。Δ0(1232)のラブの自転軌道は3.210×10-18mです。3.1MeVのuクオークの軌道は1.552×10−20mです。4.1 MeVのdクオークの軌道は1.173×10−20mです。5.7MeVのdクオークの軌道は8.438×10−21mです。○Σ0は中心の物とuクオークとdクオークとsクオークによって構成される。どのように回転しているか。(これは、特願2016-123108の図2の訂正です) Σ0の質量エネルギーは1192.64MeV=1.911×10-10Jです。クオークは、3.1MeVのuクオークと5.7MeVのdクオークと130MeVのsクオークとする。Σ0の質量エネルギー＝3.1Me＋5.7MeV＋130MeV＋中心の物の質量エネルギー中心の物の質量エネルギー＝Σ0の質量エネルギー-(3.1Me＋5.7MeV＋130MeV)＝1192.64MeV-138.8MeV＝1053.84MeV=1.688×10-10JΣ0の中心の物＝Σ0のラブΣ0のラブの質量エネルギーは1053.84MeV=1.688×10-10Jです。Σ0のラブの公転軌道は5.133×10-14mです。Σ0のラブの自転軌道は3.714×10-18mです。3.1MeVのuクオークの軌道は1.552×10−20mです。5.7MeVのdクオークの軌道は8.438×10−21mです。130MeVのsクオークの軌道は3.699×10−22mです。○Ξ0は中心の物とuクオークとsクオークとsクオークによって構成される。どのように回転しているか。(これは、特願2016-123108の図2の訂正です) Ξ0の質量エネルギーは1314.9MeV=2.106×10-10Jです。クオークは、3.1MeVのuクオークと80MeVのsクオークと130MeVのsクオークとする。Ξ0の質量エネルギー＝3.1MeV＋80MeV＋130MeV＋中心の物の質量エネルギー中心の物の質量エネルギー＝Ξ0の質量エネルギー-(3.1MeV＋80MeV＋130MeV )＝1314.9MeV-213.1MeV＝1101.8MeV＝1.765×10-10JΞ0の中心の物＝Ξ0のラブΞ0のラブの質量エネルギーは1101.8MeV＝1.765×10-10Jです。Ξ0のラブの公転軌道は4.909×10-14mです。Ξ0の��ブの自転軌道は3.552×10-18mです。3.1MeVのuクオークの軌道は1.552×10−20mです。８０MeVのsクオークの軌道は6.010×10−22mです。130MeVのsクオークの軌道は3.699×10−22mです。○クオークの軌道を拡大して描く。○クオークを1個ずつ取り出せないのはクオークの軌道が小さく次々順序よく並んで回転しているからです。
【発明を実施するための形態】
【０００８】
１．    各種のクオークの質量エネルギー、電磁気数、電磁気1個のエネルギー、軌道、を求める。
・1.7MeVのuクオーク
クオークの質量エネルギー＝1.7MeV＝2.723×10−13J
電磁気数＝6.249×108個
電磁気1個のエネルギー＝2.723×10−13J÷(6.249×108個)＝4.357×10−22J
電磁気1個の軌道＝1.233×10−41Jm÷電磁気1個のエネルギー＝1.233×10−41Jm÷(4.357×10−22J)＝2.830×10−20m
1.7MeVのuクオークの軌道＝7.705×10−33Jm÷クオークの質量エネルギー＝7.705×10−33Jm÷(2.723×10−13J)＝2.830×10−20m
・3.1MeVのuクオーク
クオークの質量エネルギー＝3.1MeV＝4.966×10−13J
電磁気数＝6.249×108個
電磁気1個のエネルギー＝4.966×10−13J÷(6.249×108個)＝7.947×10−22J
電磁気1個の軌道＝1.233×10−41Jm÷電磁気1個のエネルギー＝1.233×10−41Jm÷(7.947×10−22J)＝1.552×10−20m
3.1MeVのuクオークの軌道＝7.705×10−33Jm÷クオークの質量エネルギー＝7.705×10−33Jm÷(4.966×10−13J)＝1.552×10−20m
4.1MeVのdクオーク
クオークの質量エネルギー＝4.1×1.602×10−19J×106＝6.568×10−13J
電磁気数＝6.249×108個
電磁気1個のエネルギー＝6.568×10−13J÷(6.249×108個)＝1.051×10−22J
電磁気1個の軌道＝1.233×10−41Jm÷電磁気1個のエネルギー＝1.233×10−41Jm÷(1.051×10−22J)＝1.173×10−20m
4.1MeVのdクオークの軌道＝7.705×10−33Jm÷クオークの質量エネルギー＝7.705×10−33Jm÷(6.568×10−13J)＝1.173×10−20m
・5.7MeVのdクオーク
クオークの質量エネルギー＝5.7×1.602×10−19J×106＝9.131×10−13J
電磁気数＝6.249×108個
電磁気1個のエネルギー＝9.131×10−13J÷(6.249×108個)＝1.461×10−21J
電磁気1個の軌道＝1.233×10−41Jm÷電磁気1個のエネルギー＝1.233×10−41Jm÷(1.461×10−21J)＝8.439×10−21m
5.7MeVのdクオークの軌道＝7.705×10−33Jm÷クオークの質量エネルギー＝7.705×10−33Jm÷(9.131×10−13J)＝8.438×10−21m
・80MeVのsクオーク
クオークの質量エネルギー＝80×1.602×10−19J×106＝1.282×10−11J
電磁気数＝6.249×108個
電磁気1個のエネルギー＝1.282×10−11J÷(6.249×108個)＝2.052×10−20J
電磁気1個の軌道＝1.233×10−41Jm÷電磁気1個のエネルギー＝1.233×10−41Jm÷(2.052×10−20J)＝6.009×10−22m
80MeVのsクオークの軌道＝7.705×10−33Jm÷クオークの質量エネルギー＝7.705×10−33Jm÷(1.282×10−11J)＝6.010×10−22m
・130MeVのsクオーク
クオークの質量エネルギー＝130×1.602×10−19J×106＝2.083×10−11J
電磁気数＝6.249×108個
電磁気1個のエネルギー＝2.083×10−11J÷(6.249×108個)＝3.333×10−20J
電磁気1個の軌道＝1.233×10−41Jm÷電磁気1個のエネルギー＝1.233×10−41Jm÷(3.333×10−20J)＝3.699×10−22m
130MeVのsクオークの軌道＝7.705×10−33Jm÷クオークの質量エネルギー＝7.705×10−33Jm÷(2.083×10−11J)＝3.699×10−22m
・1.18GeVのcクオーク
クオークの質量エネルギー＝1.18×1.602×10−19J×109＝1.890×10−10J
電磁気数＝6.249×108個
電磁気1個のエネルギー＝1.890×10−10J÷(6.249×108個)＝3.024×10−19J
電磁気1個の軌道＝1.233×10−41Jm÷電磁気1個のエネルギー＝1.233×10−41Jm÷(3.024×10−19J)＝4.077×10−23m
1.18GeVのcクオークの軌道＝7.705×10−33Jm÷クオークの質量エネルギー＝7.705×10−33Jm÷(1.890×10−10J)＝4.077×10−23m
・1.34GeVのcクオーク
クオークの質量エネルギー＝1.34×1.602×10−19J×109＝2.147×10−10J
電磁気数＝6.249×108個
電磁気1個のエネルギー＝2.147×10−10J÷(6.249×108個)＝3.436×10−19J
電磁気1個の軌道＝1.233×10−41Jm÷電磁気1個のエネルギー＝1.233×10−41Jm÷(3.436×10−19J)＝3.588 ×10−23m
1.34GeVのcクオークの軌道＝7.705×10−33Jm÷クオークの質量エネルギー＝7.705×10−33Jm÷(2.147×10−10J)＝3.589×10−23m
・4.13GeVのbクオーク
クオークの質量エネルギー＝4.13×1.602×10−19J×109＝6.616×10−10J
電磁気数＝6.249×108個
電磁気1個のエネルギー＝6.616×10−10J÷(6.249×108個)＝1.059×10−18J
電磁気1個の軌道＝1.233×10−41Jm÷電磁気1個のエネルギー＝1.233×10−41Jm÷(1.059×10−18J)＝1.164×10−23m
4.13GeVのbクオークの軌道＝7.705×10−33Jm÷クオークの質量エネルギー＝7.705×10−33Jm÷(6.616×10−10J)＝1.165×10−23m
・4.37GeVのbクオーク
クオークの質量エネルギー＝4.37×1.602×10−19J×109＝7.001×10−10J
電磁気数＝6.249×108個
電磁気1個のエネルギー＝7.001×10−10J÷(6.249×108個)＝1.120×10−18J
電磁気1個の軌道＝1.233×10−41Jm÷電磁気1個のエネルギー＝1.233×10−41Jm÷(1.120×10−18J)＝1.101×10−23m
4.37GeVのbクオークの軌道＝7.705×10−33Jm÷クオークの質量エネルギー＝7.705×10−33Jm÷(7.001×10−10J)＝1.101×10−23m
・172.9GeVのtクオーク
クオークの質量エネルギー＝172.9×1.602×10−19J×109＝2.770×10−8J
電磁気数＝6.249×108個
電磁気1個のエネルギー＝2.770×10−8J÷(6.249×108個)＝4.433×10−17J
電磁気1個の軌道＝1.233×10−41Jm÷電磁気1個のエネルギー＝1.233×10−41Jm÷(4.433×10−17J)＝2.781×10−25m
172.9GeVのtクオークの軌道＝7.705×10−33Jm÷クオークの質量エネルギー＝7.705×10−33Jm÷(2.770×10−8J)＝2.782 ×10−25m
これらの事をまとめて表に示す。
クオークの質量エネルギー、電磁気数、電磁気1個のエネルギー、クオークの軌道
表１
2018007409.tif 000003
この表を基に粒子の中のクオークの回転を考える。
２．    中間子について。2016年5月24日に提出した、特願2016-103199「中間子２」に於いて、中間子は、中間子の中心の物とクオークと反クオークによって構成される。どのように回転しているか、を考えた。しかし、クオークの軌道を間違っていたのでこれを訂正する。
○D+中間子は、D+ 中間子の中心の物とcクオークと反dクオークによって構成される。どのように回転しているか。(これは特願2016-103199「中間子２」の「請求項９」に記した)
・D+中間子の中心の物の質量エネルギーが 685.5MeV＝1.098×10-10Jで、公転軌道は7.892×10−14m の場合。
cクオークの質量エネルギーは1.18×103MeVです。この軌道は4.077×10−23mです。
dクオークの質量エネルギーは4.1MeVです。この軌道は1.173×10−20mです。
D+中間子の中心の物＝D+中間子のラブは、5.710×10-18mの軌道を自転し、7.892×10-14mの軌道を公転する。
その中を4.1MeVのdクオークは1.173×10−20mの軌道を回転する。
中央を1.18×103MeVのcクオークは4.077×10−23mの軌道を回転する。
・D+中間子の中心の物の質量エネルギーが523.9MeV ＝8.393×10-11Jで、公転軌道が1.032×10−13mの場合。
cクオークの質量エネルギーは1.34×103MeVです。このクオークの軌道は3.589 ×10−23mです。
dクオークの質量エネルギーは5.7MeVです。このクオークの軌道は8.438×10−21mです。
D+中間子の中心の物＝D+中間子のラブは、7.467×10-18mの軌道を自転し、1.032×10-13mの軌道を公転する。
その中を5.7MeV のdクオークは8.438×10−21mの軌道を回転する。
中央を1.34×103MeVのcクオークは3.589 ×10−23mの軌道を回転する。
この事を表に示す。
D+中間子の中の回転
表２
2018007409.tif 000004
○B+中間子は、B+中間子の中心の物とuクオークと反bクオークによって構成される。どのように回転しているか。(これは特願2016-103199「中間子２」の「請求項１１」に記した)
・B+中間子の中心の物の質量エネルギーが1147.5MeV＝1.838×10-10Jの場合。
uクオークの質量エネルギーは1.7MeVです。このクオークの軌道は2.830×10−20mです。
bクオークの質量エネルギーは4.13×103MeVです。このクオークの軌道は1.165×10−23mです。
B+中間子の中心の物＝B+中間子のラブは3.411×10-18mの軌道を自転し、4.714×10-14mの軌道を公転する。
その中を1.7MeVのuクオークは2.830×10−20mの軌道を回転する。
中央を4.13×103MeVのbクオークは1.165×10−23mの軌道を回転する。
・B+中間子の中心の物の質量エネルギーが906.1MeVの場合。
uクオークの質量エネルギーは3.1 MeVです。このクオークの軌道は1.552×10−20mです。
bクオークの質量エネルギーは4.37×103MeVです。このクオークの軌道は1.101×10−23mです。
B+中間子の中心の物＝B+中間子のラブは4.318×10-18mの軌道を自転し、5.968×10-14mの軌道を公転する。
その中を3.1 MeVのuクオークは1.552×10−20mの軌道を回転する。
中央を4.37×103MeVのbクオークは1.101×10−23mの軌道を回転する。
この事を表に示す。
B+中間子の中の回転
表３
2018007409.tif 000005
○π+中間子は、π+中間子の中心の物とuクオークと反bクオークによって構成される。どのように回転しているか。(これは特願2016-103199「中間子２」の「請求項１３」に記した)
・π+中間子の中心の物の質量エネルギーが133.77MeV＝2.143×10-11Jの場合。
uクオークの質量エネルギーは1.7 MeVです。このクオークの軌道は2.830×10−20mです。
dクオークの質量エネルギーは4.1 MeVです。このクオークの軌道は1.173×10−20mです。
π+中間子の中心の物＝π+中間子のラブは2.925×10-17mの軌道を自転し、4.043×10-13mの軌道を公転する。
その中を1.7 MeVのuクオークは2.830×10−20mの軌道を回転する。
中央を4.1 MeVのdクオークは1.173×10−20mの軌道を回転する。
・π+中間子の中心の物の質量エネルギーが130.77MeV＝2.095×10-11Jの場合。
uクオークの質量エネルギーは3.1 MeVです。このクオークの軌道は1.552×10−20mです。
dクオークの質量エネルギーは5.7 MeVです。このクオークの軌道は8.438×10−21mです。
π+中間子の中心の物＝π+中間子のラブは2.992×10-17mの軌道を自転し、4.136×10-13mの軌道を公転する。
その中を3.1 MeVのuクオークは1.552×10−20mの軌道を回転する。
中央を5.7 MeVのdクオークは8.438×10−21mの軌道を回転する。
この事を表に示す。
π+中間子の中の回転
表４
2018007409.tif 000006
○ρ(770)+中間子は、ρ(770)+中間子の中心の物とuクオークと反bクオークによって構成される。どのよう回転しているか。(これは特願2016-103199「中間子２」の「請求項１５」に記した)
・ρ(770)+中間子の中心の物の質量エネルギーが769.69MeV＝1.233×10-10Jの場合。
uクオークの質量エネルギーは1.7 MeVです。このクオークの軌道は2.830×10−20mです。
dクオークの質量エネルギーは4.1 MeVです。このクオークの軌道は1.173×10−20mです。
ρ(770)+中間子の中心の物＝ρ(770)+中間子のラブは5.085×10-18mの軌道を自転し、7.028×10-14mの軌道を公転する。
その中を、1.7 MeVのuクオークは2.830×10−20mの軌道を回転する。
中央を4.1 MeVのdクオークは1.173×10−20mの軌道を回転する。
・ρ(770)+中間子の中心の物の質量エネルギーが766.697MeV＝1.228×10-10Jの場合。
uクオークの質量エネルギーは3.1 MeVです。このクオークの軌道は1.552×10−20mです。
dクオークの質量エネルギーは5.7 MeVです。このクオークの軌道は8.438×10−21mです。
ρ(770)+中間子の中心の物＝ρ(770)+中間子のラブは5.105×10-18mの軌道を自転し、7.056×10-14mの軌道を公転する。
その中を3.1 MeVのuクオークは1.552×10−20mの軌道を回転する。
中央を5.7 MeVのdクオークは8.438×10−21mの軌道を回転する。
この事を表に示す。
K+中間子の中の回転
表５
2018007409.tif 000007
○K+中間子は、K+中間子の中心の物とuクオークと反sクオークによって構成される。どのように回転しているか。(これは特願2016-103199「中間子２」の「請求項１７」に記した)
・K+中間子の中心の物の質量エネルギーが411.977MeV＝6.600×10-11Jの場合。
uクオークの質量エネルギーは1.7 MeVです。このクオークの軌道は2.830×10−20mです。
sクオークの質量エネルギーは80MeVです。このクオークの軌道は6.010×10−22mです。
K+中間子の中心の物＝K+中間子のラブは9.500×10-18mの軌道を自転し、1.313×10-13mの軌道を公転する。
その中を、1.7 MeVのuクオークは2.830×10−20mの軌道を回転する。
中央を80MeVのsクオークは6.010×10−22mの軌道を回転する。
・K+中間子の中心の物の質量エネルギーが360.577MeV＝5.776×10-11Jの場合。
uクオークの質量エネルギーは3.1 MeVです。このクオークの軌道は1.552×10−20mです。
sクオークの質量エネルギーは130MeVです。このクオークの軌道は3.699×10−22mです。
K+中間子の中心の物＝K+中間子のラブは1.085×10-17mの軌道を自転し、1.500×10-13mの軌道を公転する。
その中を3.1 MeVのuクオークは1.552×10−20mの軌道を回転する。
中央を130MeVのsクオークは3.699×10−22mの軌道を回転する。
この事を表に示す。
K+中間子の中の回転
表６
2018007409.tif 000008
３．    陽子について。2016年6月9日に提出した、特願2016-114926「陽子、Δ+(１２３２)、Σ+、A+c  」に於いて、陽子は、陽子の中心の物とuクオークとuクオークとdクオークによって構成される。どのように回転しているか、を考えた。しかし、クオークの軌道を間違っていたのでこれを訂正する。
○陽子は中心の物とuクオークとuクオークとdクオークによって構成される。どのように回転しているか。(これは、特願2016-114926「陽子、Δ+(１２３２)、Σ+、A+c」の「請求項２」に記した)
・陽子の質量エネルギーは、938.272MeV＝1.503×10-10J、です。
クオークは、1.7MeVのuクオークと3.1MeVのuクオークと5.7MeVのdクオークとする。
陽子の質量エネルギー＝1.7MeVのuクオーク＋3.1MeVのuクオーク＋5.7MeVのdクオーク＋陽子の中心の物の質量エネルギー
陽子の中心の物の質量ネルギー＝陽子の質量エネルギー-(1.7MeV＋3.1MeV＋5.7MeV)＝938.272MeV-10.5MeV＝927.772MeV=1.486×10-10J
陽子の中心の物＝陽子のラブ
陽子のラブの質量エネルギーは927.772MeV=1.486×10-10Jです。
陽子のラブの公転軌道は5.831×10-14mです。
陽子のラブの自転軌道は4.219×10-18mです。
1.7MeVのuクオークの軌道は2.830×10−20mです。
3.1 MeVのuクオークの軌道は1.552×10−20mです。
5.7MeVのdクオークの軌道は8.438×10−21mです。
この事を表に示す。
陽子の中の回転
表７
2018007409.tif 000009
○  Δ+(1232)は中心の物とuクオークとuクオークとdクオークによって構成される。どのように回転しているか。(これは、特願2016-114926「陽子、Δ+(１２３２)、Σ+、A+c」の「請求項６」に記した)
Δ+(1232)の質量エネルギーは1232MeV=1.974×10-10Jです。
クオークは、1.7MeVのuクオークと3.1MeVのuクオークと、5.7MeV のdクオークとする。
Δ+(1232)の質量エネルギー＝1.7MeVのuクオーク＋3.1MeVのuクオーク＋5.7MeV のdクオーク＋中心の物の質量エネルギー
Δ+(1232)の中心の物の質量エネルギー＝Δ+(1232)の質量エネルギー-(1.7MeV＋3.1MeV＋5.7MeV)＝1232MeV-10.5MeV=1221.5MeV＝1.957×10-10J
Δ+(1232)の中心の物＝Δ+(1232)のラブ
Δ+(1232)のラブの質量エネルギー＝1221.5MeV＝1.957×10-10J
Δ+(1232)のラブの公転軌道は4.428×10-14mです。
Δ+(1232)のラブの自転軌道は3.204×10-18mです。
1.7MeVのuクオークの軌道は2.830×10−20mです。
3.1 MeVのuクオークの軌道は1.552×10−20mです。
5.7MeVのdクオークの軌道は8.438×10−21mです。
この事を表に示す。
Δ+(1232)の中の回転
表８
2018007409.tif 000010
○Σ＋は中心の物とuクオークとuクオークとsクオークによって構成される。どのように回転しているか。(これは、特願2016-114926「陽子、Δ+(１２３２)、Σ+、A+c」の「請求項９」に記した)
Σ＋の質量エネルギーは1189.37MeV＝1.905×10-10Jです。
クオークは、1.7MeVのuクオークと3.1MeVのuクオークと130MeVのsクオークとする。
Σ＋の質量エネルギー＝1.7MeVのuクオーク＋3.1MeVのuクオーク＋130MeVのsクオーク＋中心の物の質量エネルギー
中心の物の質量エネルギー＝Σ＋の質量エネルギー-(1.7MeV＋3.1MeV＋130MeV)＝＝1189.37MeV-134.8MeV=1054.5MeV＝1.689×10-10J
Σ＋の中心の物＝Σ＋のラブ
Σ＋のラブの質量エネルギーは1054.5MeV＝1.689×10-10Jです。
Σ＋のラブの公転軌道は5.130×10-14mです。
Σ＋のラブの自転軌道は3.712×10-18mです。
1.7MeVのuクオークの軌道は2.830×10−20mです。
3.1 MeVのuクオークの軌道は1.552×10−20mです。
130MeVのsクオークの軌道は3.699×10−22mです。
この事を表に示す。
Σ＋の中の回転
表９
2018007409.tif 000011
○Λ＋cは中心の物とuクオークとdクオークとcクオークによって構成される。どのように回転しているか。(これは、特願2016-114926「陽子、Δ+(１２３２)、Σ+、A+c」の「請求項１２」に記した)
Λ＋cの質量エネルギーは2286.46MeV=3.662×10-10Jです。
クオークは3.1MeVのuクオークと5.7MeVのdクオークと1340MeVのcクオークとする。
Λ＋cの質量エネルギー＝3.1MeVのuクオーク＋5.7MeVのdクオーク＋1340MeVのcクオーク＋中心の物の質量エネルギー
中心の物の質量エネルギー＝Λ＋cの質量エネルギー-(3.1MeV＋5.7MeV＋1340MeV)＝2286.46MeV-1348.8MeV＝937.66MeV＝1.502×10-10J
Λ＋cの中心の物＝Λ＋cのラブ
Λ＋cのラブの質量ネルギーは937.66MeV＝1.502×10-10Jです。
Λ＋cのラブの公転軌道は5.769×10-14mです。
Λ＋cのラブの自転軌道は4.174×10-18mです。
3.1 MeVのuクオークの軌道は1.552×10−20mです。
5.7MeVのdクオークの軌道は8.438×10−21mです。
1340MeVのcクオークの軌道は3.589 ×10−23mです。
この事を表に示す。
Λ＋cの中の回転
表１０
2018007409.tif 000012
４．    中性子について。2016年6月22日に提出した、特願2016-123108「中性子、Δ0,Σ0、Ξ0」に於いて、中性子は、中性子の中心の物とuクオークとdクオークとdクオークによって構成される。どのように回転しているか、を考えた。しかし、クオークの軌道を間違っていたのでこれを訂正する。
○中性子は中心の物とuクオークとdクオークとdクオークによって構成される。どのように回転しているか。(これは、特願2016-123108「中性子、Δ0,Σ0、Ξ0」の「請求項２」に記した)
中性子の質量エネルギーは939.5635MeV＝1.505×10-10Jです。
クオークは、3.1MeVのuクオークと4.1 MeVのdクオークと、5.7MeVのdクオークとする。
中性子の質量エネルギー＝3.1MeVのuクオーク＋4.1MeVのdクオーク＋5.7MeVのdクオーク＋中心の物の質量エネルギー
中心の物の質量エネルギー＝中性子の質量エネルギー-(3.1MeV＋4.1MeV +5.7MeV)＝939.5635MeV-12.9MeV＝926.6635MeV=1.485×10-10J
中性子の中心の物＝中性子のラブ
中性子のラブの質量エネルギーは926.6635MeV=1.485×10-10Jです。
中性子のラブの公転軌道は5.835×10-14mです。
中性子のラブの自転軌道は4.222×10-18mです。
3.1MeVのuクオークの軌道は1.552×10−20mです。
4.1 MeVのdクオークの軌道は1.173×10−20mです。
5.7MeVのdクオークの軌道は8.438×10−21mです。
表に示す。
中性子の中の軌道
表１１
2018007409.tif 000013
○Δ0(1232)は中心の物とuクオークとdクオークとdクオークによって構成される。どのように回転しているか。(これは、特願2016-123108「中性子、Δ0,Σ0、Ξ0」の「請求項６」に記した)
Δ0(1232)の質量エネルギーは1232MeV=1.953×10-10Jです。
クオークは、3.1MeVのuクオークで、4.1MeVのdクオークと5.7MeVのdクオークとする。
Δ0(1232)の質量エネルギー＝3.1MeVのuクオーク＋4.1MeVのdクオーク＋5.7MeVのdクオーク＋中心の物の質量エネルギー
中心の物の質量エネルギー＝Δ0(1232)の質量エネルギー-(3.1MeV＋4.1MeV +5.7MeV)＝1232MeV-12.9MeV＝1219.1MeV＝1.953×10-10J
Δ0(1232)の中心の物＝Δ0(1232)のラブ
Δ0(1232)のラブの質量エネルギーは1219.1MeV＝1.953×10-10Jです。
Δ0(1232)のラブの公転軌道は4.437×10-14mです。
Δ0(1232)のラブの自転軌道は3.210×10-18mです。
3.1MeVのuクオークの軌道は1.552×10−20mです。
4.1 MeVのdクオークの軌道は1.173×10−20mです。
5.7MeVのdクオークの軌道は8.438×10−21mです。
表に示す
Δ0(1232)の中の回転
表１２
2018007409.tif 000014
○Σ0は中心の物とuクオークとdクオークとsクオークによって構成される。どのように回転しているか。(これは、特願2016-123108「中性子、Δ0,Σ0、Ξ0」の「請求項９」に記した)
Σ0の質量エネルギーは1192.64MeV=1.911×10-10Jです。
クオークは、3.1MeVのuクオークと5.7MeVのdクオークと130MeVのsクオークとする。
Σ0の質量エネルギー＝3.1Me＋5.7MeV＋130MeV＋中心の物の質量エネルギー
中心の物の質量エネルギー＝Σ0の質量エネルギー-(3.1Me＋5.7MeV＋130MeV)＝1192.64MeV-138.8MeV＝1053.84MeV=1.688×10-10J
Σ0の中心の物＝Σ0のラブ
Σ0のラブの質量エネルギーは1053.84MeV=1.688×10-10Jです。
Σ0のラブの公転軌道は5.133×10-14mです。
Σ0のラブの自転軌道は3.714×10-18mです。
3.1MeVのuクオークの軌道は1.552×10−20mです。
5.7MeVのdクオークの軌道は8.438×10−21mです。
130MeVのsクオークの軌道は3.699×10−22mです。
表に示す。
Σ0の中の回転
表１３
2018007409.tif 000015
○Ξ0は中心の物とuクオークとsクオークとsクオークによって構成される。どのように回転しているか。(これは、特願2016-123108「中性子、Δ0,Σ0、Ξ0」の「請求項１２」に記した)
Ξ0の質量エネルギーは1314.9MeV=2.106×10-10Jです。
クオークは、3.1MeVのuクオークと80MeVのsクオークと130MeVのsクオークとする。
Ξ0の質量エネルギー＝3.1MeV＋80MeV＋130MeV＋中心の物の質量エネルギー
中心の物の質量エネルギー＝Ξ0の質量エネルギー-(3.1MeV＋80MeV＋130MeV )＝1314.9MeV-213.1MeV＝1101.8MeV＝1.765×10-10J
Ξ0の中心の物＝Ξ0のラブ
Ξ0のラブの質量エネルギーは1101.8MeV＝1.765×10-10Jです。
Ξ0のラブの公転軌道は4.909×10-14mです。
Ξ0のラブの自転軌道は3.552×10-18mです。
3.1MeVのuクオークの軌道は1.552×10−20mです。
８０MeVのsクオークの軌道は6.010×10−22mです。
130MeVのsクオークの軌道は3.699×10−22mです。
表に示す
Ξ0の中の回転
表１４
2018007409.tif 000016
５    どうしてクオークは1個ずつ取り出せないか。
クオークの軌道はとても小さく並んで回転しているので、1個ずつ取り出すことはできない。
【産業上の利用可能性】
【０００９】
素粒子を知ることは原子や元素を知ることであり、産業の発展に役立つ。
【符号の説明】
【００１０】
１    ρ(770)+中間子の中心の物＝ρ(770)+中間子のラブ    
２    ρ(770)+のラブの質量エネルギーは769.69MeV＝1.233×10-10J
３    ρ(770)+のラブの公転軌道は7.028×10-14m    
４    ρ(770)+のラブの自転軌道は5.085×10-18m
５    1.7 MeVのuクオークの軌道は2.830×10−20m    
６    4.1 MeVのdクオークの軌道は1.173×10−20m
７    中性子のラブ    
８    中性子のラブの質量エネルギーは926.6635MeV=1.485×10-10J    
９    中性子のラブの公転軌道は5.835×10-14m
１０    中性子のラブの自転軌道は4.222×10-18m    
１１    3.1MeVのuクオークの軌道は1.552×10−20m    
１２    5.7MeVのdクオークの軌道は8.438×10−21m    
１３    Δ0(1232)のラブ      
１４    Δ0(1232)のラブの質量エネルギーは1219.1MeV＝1.953×10-10J
１５    Δ0(1232)のラブの公転軌道は4.437×10-14m                            
１６      Δ0(1232)のラブの自転軌道は3.210×10-18m
１７    Σ0のラブ        
１８      Σ0のラブの質量エネルギーは1053.84MeV=1.688×10-10J
１９    Σ0のラブの公転軌道は5.133×10-14m    
２０    Σ0のラブの自転軌道は3.714×10-18m    
２１    130MeVのsクオークの軌道は3.699×10−22m    
２２    Ξ0のラブ
２３    Ξ0のラブの質量エネルギーは1101.8MeV＝1.765×10-10J    
２４    Ξ0のラブの公転軌道は4.909×10-14m    
２５    Ξ0のラブの自転軌道は3.552×10-18m
２６    ８０MeVのsクオークの軌道は6.010×10−22mです。
【図１】
2018007409.tif 000031
【図２】
2018007409.tif 000032